(57)【特許請求の範囲】
【請求項１】
材軸面に柱位置の欠き取りと柱幅にそれぞれ貫通穴とアンカーボルト穴を設け、筋違設置の有る時は、柱下角より斜め貫通のボルト穴を設け座堀加工の土台、材軸両端の二面をそれぞれ掻き取り、その面の両端にシャクリ溝と二個ずつのＬ形ボルト穴を設け両端の穴側を交互に半円シャクリ溝を設けた一階柱、材軸面に柱位置を掻き取りその面にＬ形ボルト貫通の穴を設け、掻き取りの反対面にアングル収容のシャクリ溝を設けた下胴差、アングルの一辺に柱位置両面に穴を設けたアングル、鉄筋筋違設置時は柱と胴差の角から斜め貫通の穴を設け座堀加工の下胴差とを備え、前記柱の両端の穴にＬ形ボルトにアングル半円ワッシャーを通し、それぞれ締め付けた柱を土台穴にそれぞれ差し込んで掻き込み部を嵌めてワッシャーを入れそれぞれ締め付ける、下胴差のシャクリ溝にアングルを嵌め込みアイナットを貫通締め付け固定する、鉄筋筋違を通しワッシャーを入れナット締めして木筋違を固定の軸組みに間柱を固定組立てた、一階高耐震木造金物マッチング軸組。
【請求項２】
材軸面に柱位置の欠き取りと柱幅にそれぞれ貫通穴を設けその反対側に上下階接合の鋼製ボックス収容穴を設けた上胴差、材軸両端の二面をそれぞれ掻き取り、その面の両端にシャクリ溝と二個ずつのＬ形ボルト穴を設け両端の穴側を交互に半円シャクリ溝を設けた二階柱、材軸面に柱位置を掻き取り、柱幅にそれぞれボルト貫通穴を設けた桁、鉄筋筋違い設置時は柱と上胴差、柱と桁の角から斜め貫通の穴を設け座掘加工の上胴差、と桁、鋼製ボックスの一端にボルト穴を他端に大きめの穴を設けた接合ボックス、帯鋼に柱位置幅の穴を設けたフラットバー、前記柱の穴に、Ｌ形ボルトにアングル半円ワッシャーを通しそれぞれナット締めした柱を上胴差の欠き取りに柱を差し込み、接合ボックス穴に鋼製ボックスを差し込みボルトを通しナット締めをする、他方桁の穴にＬ形ボルトを差し込み掻き取り部に柱を嵌めフラットバーの穴に入れアイナットで締め付け固定する、鉄筋筋違と木筋違を固定し間柱を固定して組み立てた二階高耐震木造金物マッチング軸組。
【請求項３】
請求項１記載の一階高耐震木造金物マッチング軸組、及び請求項２記載の二階高耐震木造金物マッチング軸組の柱、間柱に接着剤を塗布し、構造用合板を接着し、１２ｃｍ間隔に釘打ち後所要開口部にサッシ枠を取り付け、防水紙を張り外壁のサイディングを張り上げた外壁仕上りの各スパン軸組を現場に搬入して、一階スパンはアイナットにワイヤをそれぞれ架けてクレーン車にて建て込み基礎鉄筋の穴部のナット締めをすると基礎と軸組みが一体となる、アイナットを外し、二階床パネルを固定する、二階建て込みの足場となる、二階スパンの桁締め付けナット上にアイナットを捩じ込みワイヤを架けて、クレーン車にて建て込み、鋼製ボックスの大きめの穴にＬ形ボルトを差し込みワッシャーを入れてナット締めをすることで、一、二階が緊結接合となる、各スパンの建て込みが終れば、コロニアル葺き上げの屋根パネルを取り付けボルトで固定すると外回り完了となる外壁までを工場で仕上げる事で、外壁足場が不要であること、地震時に筋違が一方向で引っ張り力と圧縮力を負担する事を特徴とする高耐震木造金物マッチング施工法。
【発明の詳細な説明】
【技術分野】
【０００１】  本発明は木構造軸組みの接合部を金物で固定して高耐震木構造に関するものである。
【背景技術】
【０００２】  従来の木造建築は、注文に応じて一棟ごと墨付けをして加工する、（又はプレカット加工加）加工終了して現場搬入して、外部足場を架けて建てる。雨天が続くと工期が延びる。又外部の足場上の作業は危険性が高く作業能率が悪い。【０００３】  従来の墨付け加工では、作業場等では軸組み組み立てと外壁仕仕上げまでは出来ない、天候等で工期が延びがちである。
【発明の開示】
【発明が解決しようとする課題】
【０００４】  解決する点は、木構造軸組みを加工して在庫が出来ないことは、工期の短縮も出来ない。
後付けの補強金物が耐震上十分とは言えない、外部足場上の作業は危険性が高く作業能率が悪い、
長期雨天で工期が長くなる問題点がある。
【問題を解決する為の手段】
【０００５】  本発明は、このような従来の問題点を解決しようとするもので、木造軸組みの接合部が地震時の引っ張り力に弱い、これに対応するするには、鋼材と木材のマッチングによりそれぞれの長所を有効活用で、耐震性を高めるため接合部の欠損を最小にすることが強度の向上となる。一定の規格部材の加工で在庫することで受注に即応できる、工場で軸組みの組み立てと外壁までの仕上げが出来ることがローコストに繋がる、又外部足場作業が不要であることが安全性に繋がる施工法を提供することを目的とする。
【０００６】  本発明は、角材にポルト穴と掻きとりの土台と桁と柱と下胴差及び上胴差、これ等をＬ形ボルトで緊結組み上げの一階各スパンと二階各スパンの軸組材を工場にて組み立てをして、外壁まで仕上げた各スパンを現場搬入してクレーン車にて建て込み一階建て込みが終わりば二階の床パネル敷き込み固定して二階建て込みの足場として使い、二階の建て込みをすることで、外壁が仕上がる、屋根パネルの取り付けで外回りが終わる、外部足場不要が安全性を高め簡易加工の軸組みを鋼材とのマッチングにより緊結が高耐震構造となります。
【発明の効果】
【０００７】  本発明によれば、軸組みの接合部の欠損が小さく加工部材の在庫が出来ることで工期の短縮となることや胴差角部が一階と二階がクロス組み立てとなり金物で緊結が高耐震となります。加工と組み立てがポルト締めの組み立作業で簡易と外部足場不要がローコストに繋がる。
【実施例】
【０００８】  本発明の木構造は図に示すように基礎と軸組みがボルトで緊結していることで耐震上有効となる、柱下基礎の鉄筋部ＫＡに発砲スチロールで囲い固定してコンクリートを打設する、土台固定のアンカーボルトＢ１を所定の位置に設置する、コンクリート硬化後型枠をばらし、発砲スチロールを撤去するとナット締め付けの回転スペースＫＡが確保出来る。【０００９】  角材にポルト穴と角材の一面に所要柱位置を掻き取り柱幅両側に所要貫通ＬＢ１穴Ｄａと斜めにＢＴ（筋違設置の場合）貫通の土台Ｄ、角材の両端の二面ＨＫを掻きとりＬＢ１用ポルト溝シャクリと貫通穴をそれぞれ二個を設けた一階柱Ｈ１、角材の一面に所要柱位置を掻きとり、その掻きとりの両側にＬＢ１の貫通穴をもうけ反対面にアングル嵌め込みのシャクリ溝を設けた下胴差Ｄ１、柱二つ割りの圧縮筋違ＭＳ。【００１０】  角材の両端の二面ＨＫを掻きとりＬＢ２用ポルト溝シャクリと貫通穴をそれぞれ二個を設けた柱Ｈ２、角材の一面に所要柱位置を掻きとり、その掻きとりの両側にポルトＬＢ２用の貫通穴をそれぞれ二個を設け、下側に鋼製接合ボックスＳＢ収容の穴を設ける、材軸に斜め貫通穴ＢＴ（鉄筋筋違設置の場合）を設けた上胴差Ｄ２、角材に所要柱位置掻きとりの両側にＬＢ１用貫通穴を設け（鉄筋筋違設置の場合材軸に斜め貫通穴設置）た桁ＫＡ、【００１１】  所要寸法の等辺山形鋼（アングル）一辺に柱位置に柱幅内側にそれぞれ二か所の穴を設けたアングルＡ、柱位置に二個ずつ穴を設けたフラットバーＦＢ、鉄筋の両端をネジ切り一端を柱幅より１０分の２長さで鉤に加工のポルトＬＢ１、ポルトＬＢ２、鋼製ボックスにポルト穴と大きめの貫通穴を設けた上下階接合ボックスＳＢ、鉄筋の両端にネジ切りの鉄筋筋違ＭＳ、鉄筋に溶接合の筋違固定プレートＳＫ、、、アングルを５ｃｍに切断し一辺に穴を設け穴面を半円形に加工のＬＢ１とＬＢ２用のワッシャーＡＷ、ナットＮ，ワッシャーＷ。【００１２】１×６倍の木材平割枠に厚合板張りの二階床パネル２Ｐ、１×４倍の木材平割枠に合板張りの屋根パネルにルーフィング張りにコロニアル葺きの屋根パネルＹＰ、上記各部材を工場にて組み立てをして外壁までを仕上げる、正確な組み立て課題を設置しその架台に土台Ｄ、柱Ｈ１、下胴差Ｄ１、を配置してボルトＬＢ１にワッシャーＡＷを差し込み前記柱両端の穴に差し込みワッシャーを入れナットで締め付ける、柱の一端を土台Ｄの掻き込みに柱を差し込みボルトＬＢ１をそれぞれ穴に差し込みワッシャーを入れナット締めする、（筋違鉄筋゛ＢＴがある場合は土台と下胴差にＢＴを貫通してワッシャーを入れナット締めする）他端を下胴差の掻き込みに差しボルトＬＢ１を穴にそれぞれ差し込み、アングルＡをシャクリ溝に嵌め込みアイナットで締め付け固定する（ＢＴもワッシャーを入れ締め付ける次に木筋違を鉄筋筋違に固定する）と一階軸組ワンスパンが組み上がる、間柱ＭＨを取り付け接着剤を塗布して構造用合板Ｇを張り上げて所要サッシ枠を取り付け防水紙を張り立胴縁ＴＤを取り付けサイディングＮＳを張り上げるとワンスパンが出来上がる、一階各外壁の所要スパンを組み上げる。【００１３】  組立て架台に配置の上胴差Ｄ２の掻き取り部に鋼製接合ボックスＳＢを入れて、柱Ｈ２���一端のＬＢ２を差し込みナットで締め付ける、他端のＬＢ２を桁ＫＡの穴に差し込み掻き込み部を差し込みフラットバーをポルトに入れてナット締めをする、筋違設置や間柱及び外壁仕上げは一階に準ずる、柱幅二倍の幅で柱幅の三分の一の木材の平割の骨組み枠に、接着剤を塗布して厚合板を釘打ちの加工二階床パネルＮＰ、角材三つ割の骨組みに構造用合板張りのパネルにルーフィング張りの上にコロニアルを葺き上げた分割屋根パネルＹＰまでを工場仕上げをします。【００１４】  所要壁面各スパンをトラックにて現場に搬入する、一階ワンスパンの各アイナットＡＮにワイヤを架けてクレーン車にて吊上げ建て込んでゆく、ＬＢ１ボルトを前記基礎穴部からワッシャーを入れてナット締め付けすると基礎と軸組みが一体となる、基礎アンかーポルトにワッシャーを入れ締め付けそれぞれ建て込んで行く、一階建て込み完了すれば二階の床パネルＮＰを敷き込み固定すると、二階の建て込み足場として使用る一階のアイナットを外す、二階の桁上のアイナットにワイヤを架けてクレーン車で二階の建て込みをして、鋼製接合ボックスの大きめの下穴にＬＢ１ボルトを通しワッシャーＷをそれぞ入れてナット締めすると建て込みが完了する、コロニアル葺き上げの屋根パネルＹＰを取り付け固定すると外回りの完了となる。内部造作を終われば竣工となるる
【産業上の利用可能性】【００１５】
上記の発明は、規格寸法と加工が簡易であり加工部材の在庫も出来る、外壁までの工事が工場で出来る事が工期の短縮に繋がる、又外部足場上の作業が不要で安全性が高く利用性が高いものです。
【図面の簡単な説明】
【図１】軸組組み立て詳図である。
【図２】接合金物の詳細図である。
【図３】接合金物の詳細図である。
【図４】軸組み図である。
【符号の説明】
Ｋ……基礎
ＫＴ…基礎鉄筋
ＫＰ…基礎パッキン
Ｄ……土台
Ｈ１、Ｈ２…一階柱、二階柱
Ｄ１…下胴差
Ｄ２…上胴差
ＫＡ…桁
ＭＳ…木筋違
ＭＨ…木間柱
ＨＫ…柱掻き込み
ＬＢ１…ＬＢ２…Ｌ型接合ボルト
ＳＢ…一階と二階接合鋼製ボックス
Ａ……アングル
ＦＢ…フラットバー
ＢＴ…鉄筋筋違
ＡＷ…アングル半円ワッシャー
ＫＴ…基礎鉄筋
Ｇ……構造用合板
ＴＤ…立胴縁
ＮＳ…サイディング
Ｂ１…アンカーボルト
Ｂ……胴差締め付けボルト
ＳＫ…木筋違固定プレート
ＡＮ…アイナット
Ｎ……ナット
Ｗ……ワッシャー０
【図面の簡単な説明】
【図１】軸組み組み立ての斜視図である。
【図２】接合金物の詳細図である。
【図３】接合金物の詳細図である。
【図４】軸組み図である。
【符号の説明】Ｋ……  基礎
ＫＴ…  基礎鉄筋
ＫＰ…  基礎パッキン
Ｄ……  土台
Ｈ１、Ｈ２…  一階柱、二階柱
Ｄ１…  下胴差
Ｄ２…  上胴差
ＫＡ…  桁
ＭＳ…  木筋違
ＭＨ…  木間柱
ＨＫ…  柱掻き込み
ＬＢ１、ＬＢ２…  Ｌ形接合ポルト
ＳＢ…  一階二階接合鋼製ボックス
Ａ……  アングル
ＦＢ…  フラットバー
ＢＴ…  鉄筋筋違
ＡＷ…  アングル半円ワッシャー
ＫＴ…  基礎鉄筋
Ｇ……  構造用合板
ＴＤ…  立胴縁
ＮＳ…  ニチハサイディング
Ｂ１…  アンカーボルト
Ｂ……  胴差し締め付けポルト
ＳＫ…  木筋違固定プレート
ＡＮ…  アイナット
Ｎ……  ナット
Ｗ……  ワッシャー
【要約】
【課題】木造軸組みの簡易加工により部材を弱めない、加工部材の在庫、鋼材と木造のマッチングによる高耐震建築と外部仕上げまでの工場仕上げによる工期の短縮と、工事作業の安全性の実現。
【解決手段】  木構造の軸組を簡易規格加工して、部材の在庫を可能にして、鋼材と木材のマッチングによる高耐震性を確保し、工場での作業を多くして、外部足場を不要にして足場上の危険性作業をなくし、工場で外壁まで仕上げる、仕上げた各スパンを現場搬入してクレーン車で建て込みの鋼材と木造のマッチング木構造建築のシステム施工法。
【選択図】なし【図１】
0005503056.tif 000002
【図２】
0005503056.tif 000003
【図３】
0005503056.tif 000004
【図４】
0005503056.tif 000005